(57)【要約】【課題】角形状の軒樋を効率的にかつ迅速に取り付けできる軒樋支持具を提供する。【解決手段】軒樋支持具１は、軒樋４０を表裏より挟持する挟持保持部１０を有している。この挟持保持部１０は表挟持片２２と裏挟持片２１とを組み合わせてなり、軒樋４０を表裏より押圧する樋押圧部１４と、軒樋４０の後耳４１を抱持する後耳抱持部１３とを備えている。【選択図】図１
2019112907.tif 000002
【特許請求の範囲】
【請求項１】
角形状の軒樋を表裏より挟持する挟持保持部を有した軒樋支持具であって、
前記挟持保持部は、表挟持片と裏挟持片とを組み合わせてなり、前記軒樋を表裏より押圧する樋押圧部と、前記軒樋の後耳を抱持する後耳抱持部とを備えていることを特徴とする軒樋支持具。
【請求項２】
請求項１において、
前記挟持保持部は、前記裏挟持片が前記軒樋の前壁部を覆わない寸法、形状とされることを特徴とする軒樋支持具。
【請求項３】
請求項１または２において、
前記表挟持片と前記裏挟持片のすくなくとも一方が板ばねで形成されていることを特徴とする軒樋支持具。
【請求項４】
請求項１〜３のいずれか１項において、
前記表挟持片が前記軒樋の前耳に係止されることを特徴とする軒樋支持具。
【請求項５】
請求項１〜４のいずれか１項において、
前記表挟持片と前記裏挟持片との間に、前記軒樋を着脱するための樋着脱口が形成されていることを特徴とする軒樋支持具。
【発明の詳細な説明】
【技術分野】
【０００１】
本発明は角形状の軒樋を支持する軒樋支持具に関する。
【背景技術】
【０００２】
軒樋支持具としては、軒樋を受け支持する軒樋受け具と、軒樋を吊り支持する軒樋吊り具とに大別され、それぞれ従来には多くのものが提案されている（たとえば、特許文献１、２参照）。
【先行技術文献】
【特許文献】
【０００３】
【特許文献１】特開２０１０−１２１４１９号公報
【特許文献２】特開２０１７−２０３２６８号公報
【発明の概要】
【発明が解決しようとする課題】
【０００４】
ところで、上記２種の軒樋支持具は、軒樋の支持の仕方こそ異なるが、いずれも軒樋の前耳と後耳のそれぞれを保持、係止する構造とされている。すなわち、軒樋受け具の場合、軒樋の裏面形状に略合致した形状の本体部の前端に前耳係止部が形成され、後端に後耳係止部が形成されている。また軒樋吊り具の場合、軒樋の前耳、後耳間を架け渡すようにした平板帯板状の本体部の前端に前耳係止部が形成され、後端に後耳係止部が形成されている。
【０００５】
したがって従来では、軒樋支持具に対する軒樋の取り付けにおいて、前耳と後耳の両方をそれぞれの係止部に係止する作業が必須の作業として発生していた。従来には、それらの作業を効率的に実施するための新規な構造が種々提案されているが、離間した２箇所での係止作業が必要であるため、効率性の向上には限界があった。
【０００６】
本発明は、このような事情を考慮して提案されたもので、その目的は、角形状の軒樋を効率的にかつ迅速に取り付けできる軒樋支持具を提供することにある。
【課題を解決するための手段】
【０００７】
上記目的を達成するために、請求項１に軒樋支持具は、角形状の軒樋を表裏より挟持する挟持保持部を有した軒樋支持具であって、前記挟持保持部は表挟持片と裏挟持片とを組み合わせてなり、前記軒樋を表裏より押圧する樋押圧部と、前記軒樋の後耳を抱持する後耳抱持部とを備えていることを特徴とする。
【０００８】
請求項２に記載の軒樋支持具は、前記挟持保持部は、前記裏挟持片が前記軒樋の前壁部を覆わない寸法、形状とされることを特徴とする。
【０００９】
請求項３に記載の軒樋支持具は、前記表挟持片と前記裏挟持片のすくなくとも一方が板ばねで形成されていることを特徴とする。
【００１０】
請求項４に記載の軒樋支持具は、前記表挟持片が前記軒樋の前耳に係止されることを特徴とする。
【００１１】
請求項５に記載の軒樋支持具は、前記表挟持片と前記裏挟持片との間に、前記軒樋を着脱するための樋着脱口が形成されていることを特徴とする。
【発明の効果】
【００１２】
請求項１に記載の軒樋支持具は上述した構成となっているため、角形状の軒樋を効率的にかつ迅速に取り付けできる。
【００１３】
請求項２に記載の軒樋支持具は上述した構成となっているため、全体の寸法を小さくできる。そのため、材料費を低減化でき、梱包箱等への梱包の効率を向上させることができる。
【００１４】
請求項３に記載の軒樋支持具は上述した構成となっているため、軒樋の取り付けをしやすくでき、また軒樋支持具を簡易に製造することもできる。
【００１５】
請求項４に記載の軒樋支持具は上述した構成となっているため、表挟持片が軒樋の前後の耳に係止されて、しっかりと軒樋を押圧保持することができる。
【００１６】
請求項５に記載の軒樋支持具は上述した構成となっているため、軒樋支持具に対して軒樋の装着をしやすくできる。
【図面の簡単な説明】
【００１７】
【図１】本発明の一実施形態に係る軒樋支持具の部分拡大正面図付き側面図である。
【図２】本発明の他の実施形態に係る軒樋支持具の側面図である。
【図３】本発明のさらに他の実施形態に係る軒樋支持具の側面図である。
【図４】本発明のさらに他の実施形態に係る軒樋支持具の側面図である。
【発明を実施するための形態】
【００１８】
以下に、本発明の実施の形態について、添付図面を参照しながら説明する。なお以下の各実施形態の説明においては、建物の軒先面等（鼻隠、垂木等）に取り付ける取付部３０側を後部とし、前方に突出した挟持保持部１０側を前部とする。また、軒樋支持具１は、角形状の軒樋４０、４０Ａの長手方向の適所（おおむね等間隔部位）に取り付けられ、前後方向に細長い帯板形状とされている。
【００１９】
以下に説明する種々の実施形態に係る軒樋支持具１は、図１〜図４に示すように、軒樋４０、４０Ａを表裏より挟持する挟持保持部１０を有したものである。挟持保持部１０は表挟持片２２と裏挟持片２１とを組み合わせてなり、軒樋４０、４０Ａを表裏より押圧する樋押圧部１４と、軒樋４０、４０Ａの後耳４１を抱持する後耳抱持部１３とを備えている。
【００２０】
また、いずれのものも挟持保持部１０は、表挟持片２２と裏挟持片２１のうちのすくなくとも一方が、軒樋４０、４０Ａが樋押圧部１４で押圧された状態では軒樋４０、４０Ａの前壁部４５を覆わない寸法、形状とされている。なお、図２〜図４のものについては、裏挟持片２１が前壁部４５の下部をわずかに引っ掛けてあるが、前壁部４５の中央部分には及ばない寸法とされている。もちろんこれらには限らず、表挟持片２２と裏挟持片２１の一方または両方が軒樋４０、４０Ａの前耳４２を覆うようにしたものとしてもよい。
【００２１】
さらに、いずれのものも、表挟持片２２が裏挟持片２１とは別体の板ばねで形成されている。これについても、この構成には限らず、挟持保持部１０を構成する表挟持片２２と裏挟持片２１とがヘアピンのような形状の一体構造のものであってもよい。また、裏挟持片２１が板ばねで形成されたものとしてもよいし、いずれもが板ばねで形成されたものとしてもよい。
【００２２】
軒樋支持具１の支持対象である軒樋４０、４０Ａは、前耳４２を上端側に有した前壁部４５と、後耳４１を上端側に有した後壁部４３と、それらを下部どうしで接続した底部４４とを備えた形状とされている（図１〜図４参照）。なお、図１、図２のものと、図３、図４のものとでは前耳４２の構造が異なるがこれについては各実施形態の説明において後述する。
【００２３】
ついで、実施形態ごとに図面を参照しながら順次説明する。
【００２４】
図１に示した軒樋支持具１は、裏挟持片２１と、鉛直軒先面５０に取り付けられる取付部３０とで本体１６が構成され、この本体１６に、板ばねより形成された表挟持片２２を固着させて軒樋支持具１が構成されている。
【００２５】
取付部３０は、逆Ｌ字形状とされ、取り付け状態において略水平に配される杆部３１と、鉛直軒先面５０に取り付け固定される固定部３２とを備えている。固定部３２は、杆部３１の基部より折曲延出された、鉛直軒先面５０に当接するように配される添設部３２ａと、この添設部３２ａを前方より押さえるようにして鉛直軒先面５０に固定具３５止めされる固定片３２ｂとよりなる。
【００２６】
固定片３２ｂは、図１の拡大正面図に示すように、後部に凹部を有した中央基部３２ｂａと、その両側の押さえ部３２ｂｂとを備えた形状とされている。中央基部３２ｂａの裏側の凹部（不図示）には正面視で十字状となるように添設部３２ａが配され、両部はリベット３６で固定されている。なお、これら両部の固定は現場へ持ち込む前にあらかじめなされていればよい。押さえ部３２ｂｂのそれぞれにはビス、釘等の固定具３５で固定部３２を鉛直軒先面５０に固定するための固定具挿通孔（不図示）が開設してある。
【００２７】
一方、裏挟持片２１は、取付部３０の杆部３１の前端の前方に一体的に延びてなる。その形状は側面視において軒樋４０の裏面形状におおむね合致した形状とされるが、軒樋４０の前耳４２、後耳４１間全体に跨ることはなく、その前後方向の寸法は、後耳４１から、後壁部４３を経て、底部４４の前端近傍に及ぶ程度の寸法とされる。
【００２８】
裏挟持片２１の後端部（杆部３１との境界部に当たる部位）には、後方に凹んだ段差部２１ａが形成されている。軒樋４０を設置したときには、この段差部２１ａの凹所に軒樋４０の後耳４１が配される。裏挟持片２１は、この段差部２１ａの下方から前方に配される軒樋４０の後壁部４３から底部４４までを裏側より接触状態で支持する形状とされている。
【００２９】
表挟持片２２は、軒樋４０の表面側に配される部材であり、裏挟持片２１の段差部２１ａに相当する部位で折曲されており、この折曲部２２ｂを介した後方に、取り付け状態で略水平となるように延出形成された板ばね基部２２ａを備えている。この板ばね基部２２ａは杆部３１の上面にリベット３７で固着されている。
【００３０】
また表挟持片２２は、後部の板ばね基部２２ａが取付部３０の杆部３１に固着され、その前方に、折曲部２２ｂを介して前方に下り傾斜した形状とされている。より具体的には、表挟持片２２は、板ばね基部２２ａと、段差部２１ａの空間１３ａを前方より囲むようにした覆い部２２ｃと、前方に向けて下り傾斜し前部に押さえ面を有した樋押圧部１４と、ガイド部２４とを備えている。そして、裏挟持片２１のガイド部２４と、表挟持片２２の前端部との間に樋着脱口１１が形成されている。
【００３１】
ようするに本図例の軒樋支持具１では、挟持保持部１０は表挟持片２２と裏挟持片２１とを組み合わせてなり、軒樋４０を着脱するための開口とされる樋着脱口１１と、軒樋４０を表裏より押圧する樋押圧部１４と、軒樋４０を着脱するための挿通路とされる樋着脱路１２と、軒樋４０の後耳４１を抱持する後耳抱持部１３とを備えた構成とされている。
【００３２】
角形状の軒樋４０は後壁部４３と底部４４とのなす角度が略直角であるため、裏挟持片２１と表挟持片２２のいずれもが軒樋４０と同形状であれば、たとえ表挟持片２２が板ばねで形成されていても軒樋４０の装着はしにくいが、図１のもののように、表挟持片２２が下り傾斜状に形成してあるため、表挟持片２２を上方に弾性的に開くようにすることで、軒樋４０を、後耳４１側より樋着脱口１１から挿入し樋着脱路１２を通過させることができ、その結果、確実に適正な位置に装着することができる。
【００３３】
図１に示すように、この軒樋支持具１は軒樋４０を後部側で支持する片持ち吊り支持構造とされている。図１の例では、軒樋４０を挟持保持部１０に取り付けたときには、その前耳４２を含む前壁部４５には挟持保持部１０（裏挟持片２１）は表れない。
【００３４】
軒樋４０は裏挟持片２１の形状に沿うよう適切な位置に装着されると、表挟持片２２と裏挟持片２１との協働により作用する樋押圧部１４により、表挟持片２２、裏挟持片２１間に挟持された状態となる。このとき、樋押圧部１４が軒樋４０内面に接触して下方に向けて押圧するように、表挟持片２２が弾性付勢した状態となるように形成されていることが望ましい。
【００３５】
以上のように、軒樋４０は、いったん軒樋支持具１に取り付けられると、後耳４１が後耳抱持部１３で保持された状態が維持され、その底部４４が挟持され、固定された状態となる。
【００３６】
このように、この軒樋支持具１を用いれば、軒樋４０を効率的にかつ迅速に取り付けることができる。また、表挟持片２２および裏挟持片２１はその前端が前耳４２に及ばない寸法とされているため、従来のものより前後寸法を小さく形成でき、そのため材料費を低減化でき、梱包効率を向上させることもできる。さらに、表挟持片２２が別体の板ばねで形成されているため、挟持保持部１０を簡易に構成でき、軒樋支持具１を簡易に製造することができる。
【００３７】
また、樋着脱口１１は後耳抱持部１３の樋着脱路１２を介した前方に配されているため、軒樋４０の後耳４１を後耳抱持部１３の空間１３ａに配するための操作は後耳４１を樋着脱口１１に挿入し、樋着脱路１２をスライドさせていくだけでよく、操作を簡易に行うことができる。
【００３８】
また、この軒樋支持具によれば、挟持保持部１０の裏挟持片２１が軒樋４０の前壁部４５の前面に縦に線状に表れないため、見栄えをよくすることができる。
【００３９】
ついで、図２に示した軒樋支持具１について説明する。この軒樋支持具１は、図１のものとくらべれば、挟持保持部１０を構成する表挟持片２２と裏挟持片２１の形状が異なる。より具体的には図２に示すように、樋着脱口１１、樋装着路１２および樋押圧部１４の形成位置が図１のものとは異なる。また、裏挟持片２１の前端部が図１のものとは異なる。なお、これら以外の構成および軒樋４０の形状については図１のものと同様であるため、図２に同一の符号を付して、その説明は省略する。以下、さらにくわしく説明する。
【００４０】
この軒樋支持具１の表挟持片２２は、図２に示すように短く、折曲部２２ｂより後耳抱持部１３を介して軒樋４０の後壁部４３の略中央にいたるまでの長さとされている。つまり、樋着脱口１１、樋装着路１２および樋押圧部１４は、軒樋４０の後壁部４３側に形成されている。ようするに、軒樋４０は後壁部４３側が押圧保持される。
【００４１】
また、裏挟持片２１は軒樋４０の底部４４の前端まで及んでおり、前端には前壁部４５の下部に引っ掛けられるように前壁係合部２１ｂが形成されている。
【００４２】
このように表挟持片２２が短く形成されているため軒樋４０の装着はよりしやすくなる。また、挟持保持部１０による軒樋４０の挟持は軒樋４０の後壁部４３に対するものであるため、底部４４や前壁部４５の保持力が弱くなるおそれがあるが、裏挟持片２１の前壁係合部２１ｂが前壁部４５の下部に係合するため、軒樋４０を適切に保持することができる。なお、前壁係合部２１ｂは前壁部４５の中央部には及ばないため、それにより美観が低下するおそれはない。
【００４３】
なお、図１、図２の形状の軒樋４０を支持する挟持保持部１０としては、図１、図２に示したものに限られず、図１に示した表挟持片２２と図２に示した裏挟持片２１とを組み合わせたものであってもよいし、図２に示した表挟持片２２と図１に示した裏挟持片２１とを組み合わせたものであってもよい。
【００４４】
つぎに図３に示した軒樋支持具１について説明する。この軒樋支持具１は、図１のものとは前耳４２の形状が異なる軒樋４０Ａを支持するものである。この軒樋４０Ａの前耳４２は、内面側に開口を有した凹所４２ａを有した形状とされている。本軒樋支持具１は、軒樋４０の凹所４２ａに表挟持片２２が係止されることで、樋押圧部１４が軒樋４０Ａを内面より押圧して軒樋４０を支持する構成とされている。以下、さらにくわしく説明する。
【００４５】
表挟持片２２は図３に示すように略Ｖ字形状とされ、その中央下部には樋押圧部１４が形成され、その前方に上方に傾斜した係止片２５が形成されている。この係止片２５は軒樋４０を装着するためのガイド部２４としても作用し、裏挟持片２１の前端部との間に樋着脱口１１が形成されている。この係止片２５は、その先端部に軒樋４０Ａの前耳４２の凹所４２ａに入り込んで係止される係止部２５ａを有している。この係止部２５ａが係止された状態では、樋押圧部１４が軒樋４０Ａの底部４４を押圧し、挟持保持部１０が軒樋４０Ａを挟持保持することとなる。
【００４６】
軒樋４０Ａは、図１のものと同様、後耳４１を樋着脱口１１から挿入し、後耳４１が樋着脱路１２を通って後耳抱持部１３に配され、前耳４２の凹所４２ａが表挟持片２２の係止片２５の先端に被さるようにして装着されればよい。
【００４７】
この軒樋支持具１によれば、軒樋４０Ａはいったん装着されると前後で固定された状態となるため、表挟持片２２（樋押圧部１４）と裏挟持片２１との間にしっかりと挟持される。なお、樋押圧部１４は弾性的に軒樋４０の底部４４を押圧することが望ましいが、前端が上下に動作しない構成であるため、弾性付勢力によらず、前耳４２による固定により底部４４を押圧状態に保持するものであってもよい。また、裏挟持片２１は前壁係合部２１ｂを有しているため、軒樋４０を前後にずれることなく挟持することができる。
【００４８】
ついで図４に示した軒樋支持具１について説明する。この軒樋支持具１は、図３のものと同様、表挟持片２２の係止片２５が軒樋４０Ａの凹所４２ａに係止されて軒樋４０Ａの底部４４を押圧するものであるが、表挟持片２２は前後にわたり軒樋４０Ａの内面に沿った形状とされ、樋押圧部１４が底部４４のおおむね全幅を押圧する構成とされている点で図３のものと異なる。
【００４９】
このように、樋押圧部１４が前後に長く形成してあるため、裏挟持片２１との協働により安定した挟持保持を実施することができる。
【００５０】
また、表挟持片２２が板ばねで構成されていれば、表挟持片２１を上方へ弾性変形させることで樋着脱口１１を大きく開くことで、軒樋４０Ａを後耳４１を樋着脱口１１、樋着脱路１２を通して後耳抱持部１３に装着することができる。なお、前壁係合部２１ｂの先端を前方に開いた形状にして後耳４１をガイドできるようにしてもよい。
【００５１】
このような前方からの装着方法に限らず、表挟持片２１の係止部２５ａを前耳４２に係止させた状態で軒樋４０Ａを裏挟持片２１の上に載せ置くように配してから、表挟持片２２を後付けするようにしてもよい。このように表挟持片２２を後付けする場合には、図４に示すように、板ばね基部２２ａは杆部３１に対して、ボルト３８、ナット３９で固定されることが望ましい。
【００５２】
図３および図４に示した軒樋支持具１は、表挟持片２２で軒樋４０Ａの前耳４２を引っ掛けるようにしてあるため、取り付け作業は図１や図２のものよりは時間がかかるが、上記のような支持構造であるため強固に軒樋４０Ａを支持することができる。この支持構造は、前耳と後耳の両方を支持する両持ち支持構造であり、受け・吊り支持構造でもあり、さらに挟持保持構造でもあるため、軒樋４０Ａのずれや外れはきわめて発生しにくい。
【００５３】
以上に示した４形態の軒樋支持具１は、表挟持片２２に板ばねを用いているが、裏挟持片２１に板ばねを用いたものとしてもよい。
【符号の説明】
【００５４】
１                軒樋支持具
１０              挟持保持部
１１              樋着脱口
１２              樋着脱路
１３              後耳抱持部
１３ａ            空間
１４              樋押圧部
１６              本体
２１              裏挟持片
２１ａ            段差部
２１ｂ            前壁係合部
２２              表挟持片
２４              ガイド部
２５              係止片
３０              取付部
３１              杆部
３２              固定部
３５              固定具
３６、３７        リベット
３８              ボルト
３９              ナット
４０、４０Ａ      軒樋
４１              後耳
４２              前耳
４３              後壁部
４４              底部
４５              前壁部
【図１】
2019112907.tif 000003
【図２】
2019112907.tif 000004
【図３】
2019112907.tif 000005
【図４】
2019112907.tif 000006